(57)【要約】【課題】本発明は、出力先のＣＤ−ＲＷの記録容量をユーザに意識させることなく、音声データの連続性を途切れさせることなくそのままの状態で有効かつ効率的に複数のＣＤ−ＲＷに振り分けて記録できるようにする。【解決手段】本発明は、所定の記録容量でなるＣＤ−ＲＷを出力先として選択し、複数のトラックを一塊とする音声データを複数枚のＣＤ−ＲＷに振り分けて記録する場合、トラック毎のデータ容量とＣＤ−ＲＷ１枚の記録容量とに基づいて出力データを任意のトラックの切れ目で分割し、当該分割した任意のトラックの切れ目で出力データを複数枚のＣＤ−ＲＷに振り分けて記録するようにする。【選択図】        図１４
2004318962.tif 000002
【特許請求の範囲】
【請求項１】
所定の記録容量でなる記録媒体と、
複数のトラックを一塊とする連続的な出力データを複数の上記記録媒体に振り分けて記録する場合、上記トラック毎のデータ容量と上記記録媒体の上記記録容量とに基づいて上記出力データを任意のトラックの切れ目で分割する分割処理手段と、
上記分割処理手段で分割した上記任意のトラックの切れ目で上記出力データを複数の上記記録媒体に振り分けて記録する記録制御手段とを具えることを特徴とする出力データ記録制御装置。
【請求項２】
上記分割処理手段は、複数の上記記録媒体におけるそれぞれの記録容量が互いに異なる場合、上記トラック毎のデータ容量と記録媒体毎のそれぞれの記録容量とに基づいて上記出力データを任意のトラックの切れ目で分割することを特徴とする請求項１に記載の出力データ記録制御装置。
【請求項３】
上記出力データ記録制御装置は、
上記連続的な出力データを、順序を持った複数個のセグメントとして分割することにより上記複数のトラックを生成する複数トラック生成手段とを具えることを特徴とする請求項１に記載の出力データ記録制御装置。
【請求項４】
上記出力データ記録制御装置は、
ユーザ操作に応じて上記複数のトラックの並び順序を入れ換える編集処理手段とを具えることを特徴とする請求項３に記載の出力データ記録制御装置。
【請求項５】
上記編集処理手段は、上記分割処理手段で分割した上記任意のトラックの切れ目をユーザ操作に応じて変更することを特徴とする請求項１に記載の出力データ記録制御装置。
【請求項６】
上記記録制御手段は、上記編集処理手段によって上記任意のトラックの切れ目を変更したことに応じて、上記出力データを複数の上記記録媒体に振り分ける際の振り分け先を補正することを特徴とする請求項５に記載の出力データ記録制御装置。
【請求項７】
所定の記録容量でなる記録媒体を出力先として選択する出力先選択ステップと、
複数のトラックを一塊とする連続的な出力データを複数の上記記録媒体に振り分けて記録する場合、上記トラック毎のデータ容量と上記記録媒体の上記記録容量とに基づいて上記出力データを任意のトラックの切れ目で分割する分割処理ステップと、
上記分割処理ステップで分割した上記任意のトラックの切れ目で上記出力データを複数の上記記録媒体に振り分けて記録する記録制御ステップとを具えることを特徴とする出力データ記録制御方法。
【請求項８】
コンピュータに対して、
所定の記録容量でなる記録媒体を出力先として選択する出力先選択ステップと、
複数のトラックを一塊とする連続的な出力データを複数の上記記録媒体に振り分けて記録する場合、上記トラック毎のデータ容量と上記記録媒体の上記記録容量とに基づいて上記出力データを任意のトラックの切れ目で分割する分割処理ステップと、
上記分割処理ステップで分割した上記任意のトラックの切れ目で上記出力データを複数の上記記録媒体に振り分けて記録する記録制御ステップとを実行させることを特徴とする録音編集管理プログラム。
【発明の詳細な説明】
【０００１】
【発明の属する技術分野】
本発明は出力データ記録制御装置に関し、例えばパーソナルコンピュータを用いて編集処理等を行った音声データファイルをＣＤ−ＲＷ等の記録媒体に記録する場合に適用して好適なものである。
【０００２】
【従来の技術】
従来、パーソナルコンピュータにおいては、アナログオーディオ機器から供給される録音対象のアナログ音声信号を外付けのオーディオデバイスもしくは内蔵されたサウンドカードを介してディジタル変換することにより音声データを生成し、当該生成した音声データを内部のハードディスク等に記録するようになされたものがある。（例えば、非特許文献１参照）。
【０００３】
【非特許文献１】
ｈｔｔｐ：／／ｗｗｗ．Ｊａｐａｎ．ｓｔｅｉｎｂｅｒｇ．ｎｅｔ／ｐｒｏｄｕｃｔｓ／ｃｌｅａｎ４／ｉｍｇ／ｅｘａｍｐｌｅ．ｊｐｇ
【０００４】
【発明が解決しようとする課題】
ところでかかる構成のパーソナルコンピュータにおいては、音声データに所定の編集処理を施した後、これを例えばＣＤ−ＲＷへ出力して記録しようとした場合、ユーザがそのＣＤ−ＲＷ１枚に連続的な音声データが収まるように当該ＣＤ−ＲＷの記録容量に合わせて当該音声データの一部分を削除する等といった編集処理を行わざるを得ず、使い勝手が非常に悪いという問題があった。
【０００５】
本発明は以上の点を考慮してなされたもので、出力先の記録媒体の記録容量をユーザに意識させることなく、連続的な出力データをそのままの状態で有効かつ効率的に記録媒体に記録し得る出力データ記録制御装置を提案しようとするものである。
【０００６】
【課題を解決するための手段】
かかる課題を解決するため本発明においては、所定の記録容量でなる記録媒体を出力先として選択し、複数のトラックを一塊とする連続的な出力データを複数の記録媒体に振り分けて記録する場合、トラック毎のデータ容量と記録媒体の記録容量とに基づいて出力データを任意のトラックの切れ目で分割し、当該分割した任意のトラックの切れ目で出力データを複数の記録媒体に振り分けて記録するようにする。
【０００７】
これにより、複数のトラックを一塊とする連続的な出力データを複数の記録媒体に振り分けて記録する場合、複数のトラックを構成するうちの１つのトラックが２枚の記録媒体に跨ることなく、かつ記録媒体の記録容量を有効活用しながら、複数のトラックを一塊とする連続的な出力データをそのままの状態で複数の記録媒体にトラック単位で振り分けて記録することができる。
【０００８】
【発明の実施の形態】
以下、図面について、本発明の一実施の形態を詳述する。
【０００９】
（１）パーソナルコンピュータの全体構成
図１において、１は全体として本発明を適用したパーソナルコンピュータを示し、各種情報処理を実行するパーソナルコンピュータ本体（以下、これをパソコン本体と呼ぶ）２に対して、モニタ３、キーボード４及びマウス５が接続されている。
【００１０】
またパソコン本体２には、マイクロホン６、ライン入力ケーブル７及びスピーカ８が接続されている。パソコン本体２は、マイクロホン６を介して集音したアナログ音声信号や、テープレコーダ等の外部のアナログオーディオ機器からライン入力ケーブル７を介して入力したアナログ音声信号をディジタル変換して音声データを生成（すなわち録音）する。そしてパソコン本体２はユーザ操作に応じて、録音した音声データに対し適宜分割や結合等の各種編集処理を施した後、当該音声データを音声データファイルとして、内蔵するハードディスクドライブやＣＤ−ＲＷ（Ｃｏｍｐａｃｔ  Ｄｉｓｋ−ＲｅＷｒｉｔａｂｌｅ  ）ドライブに挿入されたＣＤ−ＲＷディスク等の記録媒体に出力（すなわち記録）するとともに、記録した音声データファイルをスピーカ８を介して出力するようになされている。
【００１１】
さらにパソコン本体２には、高精度なディジタル変換処理を行うＵＳＢ（Ｕｎｉｖｅｒｓａｌ  Ｓｅｒｉａｌ  Ｂｕｓ  ）オーディオデバイス９がＵＳＢ接続されており、外部のアナログオーディオ機器から供給されるアナログ音声信号を当該ＵＳＢオーディオデバイス９でディジタル変換してパソコン本体２に入力することにより、より高い品質で音声データファイルを録音したり、当該録音した音声データファイルをＵＳＢオーディオデバイス９でアナログ変換することにより、当該音声データファイルをより高い品質でアナログ音声信号に復元し得るようになされている。
【００１２】
これに加えてパソコン本体２には、モデム１０がＵＳＢ接続されており、インターネット上の他のパーソナルコンピュータや各種サーバ等の情報処理装置との間でデータ通信を行い得るようになされている。
【００１３】
次に、パソコン本体２の回路構成を図２を用いて詳細に説明する。パソコン本体２においては、当該パソコン本体２を統括制御するＣＰＵ（Ｃｅｎｔｒａｌ  Ｐｒｏｃｅｓｓｉｎｇ  Ｕｎｉｔ  ）１１に対し、各種プログラムを実行するワークエリアとしてのメモリ１２、モニタ３に対する表示信号を生成するビデオインターフェース１３及びＰＣＩ（Ｐｅｒｉｐｈｅｒａｌ  Ｃｏｍｐｏｎｅｎｔ  Ｉｎｔｅｒｃｏｎｎｅｃｔ  ）ブリッジ１４が、ＣＰＵバス１５を介して接続されている。
【００１４】
またＰＣＩブリッジ１４には、ＩＤＥ（Ｉｎｔｅｇｒａｔｅｄ  Ｄｒｉｖｅ  Ｅｌｅｃｔｒｏｎｉｃｓ）インターフェース１６、オーディオインターフェース１７及びＵＳＢインターフェース１８がＰＣＩバス１５を介して接続されている。
【００１５】
ＩＤＥインターフェース１６には、ＣＰＵ１１によって実行されるオペレーティングシステムや録音編集管理プログラム等の各種アプリケーションプログラムを格納したハードディスクドライブ１９と、ＣＤ−ＲＷドライブ２０とが接続されており、ＩＤＥインターフェース１６はハードディスクドライブ１９及びＣＤ−ＲＷドライブ２０に対するアクセス制御を行う。
【００１６】
オーディオインターフェース１７には、マイクロホン６、ライン入力ケーブル７及びスピーカ８が接続されている。オーディオインターフェース１７は、マイクロホン６及びライン入力ケーブル７から入力されるアナログ音声信号をディジタル変換して音声データを生成し、これをＰＣＩバス１５に送出するとともに、当該ＰＣＩバス１５から供給される音声データをアナログ変換してアナログ音声信号を生成し、スピーカ８を介して出力する。
【００１７】
ＵＳＢインターフェース１８には、キーボード４、マウス５、ＵＳＢオーディオデバイス９及びモデム１０が接続されている。ＵＳＢインターフェース１８は、ユーザ操作に応じてキーボード４及びマウス５から供給される操作信号をＰＣＩバス１５に送出するとともに、ＵＳＢオーディオデバイス９との間のディジタル音声データの送受、及びモデム１０との間の送受信データの送受を管理する。
【００１８】
そしてＣＰＵ１１は、パソコン本体２の電源投入に応じてハードディスクドライブ１９からオペレーティングシステムを読み出し、メモリ１２に展開して実行する。そしてＣＰＵ１１はオペレーティングシステムの実行環境下において、ユーザによるキーボード４及びマウス５の操作に応じてハードディスクドライブ１９から各種アプリケーションプログラムを読み出して実行することにより、各種機能を実現するようになされている。
【００１９】
（２）録音編集管理プログラム
上述したようにこのパーソナルコンピュータ１においては、ハードディスクドライブ１９に格納された録音編集管理プログラムをＣＰＵ１１が読み出して実行することにより、音声データの録音、分割や結合、及びハードディスクドライブ１９やＣＤ−ＲＷディスクに対する音声データファイルの出力といった録音編集処理を実行するようになされている。
【００２０】
録音編集管理プログラムの構成を図３に示す。ＧＵＩ部３０は、録音編集管理プログラムの各種操作画面をモニタ３に表示するとともに、ユーザによるキーボード４及びマウス５の入力操作に応じた操作命令を生成し、録音再生制御部３１及びプロジェクト管理部３２に送出する。
【００２１】
録音再生制御部３１は、ＧＵＩ部３０から送出された操作命令に応じて音声データの録音及び再生を制御する。すなわち録音再生制御部３１は、ユーザの操作に応じてＧＵＩ部３０から録音命令が供給されると、オーディオデバイス３３（ＵＳＢオーディオデバイス９及びオーディオインターフェース１７、並びにこれらにアクセスするためのソフトウェアモジュール）から供給される音声データを受け取って音声データ管理部３４に送出する。
【００２２】
音声データ管理部３４は、ハードディスクドライブ１９に対する音声データファイルＭｆの読み書き及び曲リスト記憶部３６に対する曲情報の読み書きを管理する。すなわち音声データ管理部３４は、録音再生制御部３１から供給される音声データを音声データファイルＭｆとしてハードディスクドライブ１９に保存する。このとき音声データ管理部３４は当該音声データを複写して曲間検出部３７に送出する。
【００２３】
ノイズ除去処理部３８は曲間検出部３７から音声データを取得し、音声データに対してノイズ除去処理を施すことにより本来無音部分である箇所に含まれているノイズを除去して当該無音部分を明確にした後、曲間検出部３７に返送する。曲間検出部３７は、このノイズが除去された音声データに対し、無音部分に基づいて曲間を自動検出し、その検出結果に応じた当該曲間の位置を示す分割点情報をプロジェクト管理部３２に送出する。
【００２４】
プロジェクト管理部３２は、録音編集管理プログラムが取り扱うデータの集合体であるプロジェクトＰＪを管理する。このプロジェクトＰＪは、音声データファイルＭｆと、当該音声データファイルＭｆについての各種情報を記憶したプロジェクトファイルＰｆと、曲リスト記憶部３６から読み出した各曲の演奏時間やタイトル等でなる曲情報とで構成される。
【００２５】
プロジェクト管理部３２は、曲間検出部３７から供給された分割点情報に基づいて、分割点で分割された曲（すなわちトラック）それぞれの開始時間及び終了時間をプロジェクトファイルＰｆに記入する。
【００２６】
図４にプロジェクトファイルＰｆの記述例を示す。プロジェクトファイルＰｆはＸＭＬ（ｅＸｔｅｎｓｉｂｌｅ  Ｍａｒｋｕｐ  Ｌａｎｇｕａｇｅ）言語を用いて記述されており、各トラックの開始時間及び終了時間（ｔｒａｃｋ  ｓｔａｒｔ  及びｅｎｄ  ）、各トラックのタイトルやアーティスト名（ｎａｍｅ、ａｒｔｉｓｔ）、当該プロジェクトファイルＰｆの参照元音声データファイルＭｆのファイル名（ｓｏｕｎｄｆｉｌｅ  ｓｒｃ  ）等が記入される。このようなプロジェクトファイルＰｆで用いられるタグの例を図５に示す。
【００２７】
また録音再生制御部３１は、ユーザの操作に応じてＧＵＩ部３０から再生命令が供給されると、これに応じて音声データ管理部３４を制御し、音声データファイルＭｆを読み出してオーディオデバイス３３に出力する。
【００２８】
次に、上述した録音編集管理プログラムの起動から音声データの記録、編集、記録媒体に対する出力までに至る一連の処理を、図６に示すフローチャートを用いて説明する。
【００２９】
パソコン本体２のＣＰＵ１１は、録音編集管理処理手順ＲＴ１の開始ステップから入ってステップＳＰ１に移り、図７に示すオープニング画面５０をモニタ３に表示する。
【００３０】
このオープニング画面５０の中央には、録音編集管理プログラムの一連の処理を開始させるための開始ボタン５１が表示されているとともに、その右側にはオンラインユーザーガイドを表示させるためのユーザーガイドボタン５２が表示されている。ＣＰＵ１１は、次のステップＳＰ２においてユーザによる開始ボタン５１のクリックを待ち受け、当該開始ボタン５１がクリックされたことを確認すると、次のステップＳＰ３に移る。
【００３１】
ステップＳＰ３においてＣＰＵ１１は、図８に示す入力選択画面５４をモニタ３に表示する。この入力選択画面５４の中央には、ライン入力ケーブル７をアナログ音声信号の入力端子として選択するためのライン入力選択ボタン５４Ａ、マイクロホン６をアナログ音声信号の入力機器として選択するためのマイク入力選択ボタン５４Ｂ、及びＵＳＢオーディオデバイス９を入力機器として選択するためのＵＳＢオーディオデバイス選択ボタン５４Ｃの、３つの入力選択ボタン５４が表示されているとともに、その右側には、選択した入力端子又は機器を確定するための「進む」ボタン５５が表示されている。
【００３２】
ＣＰＵ１１は、次のステップＳＰ４においてユーザによる入力選択操作を待ち受け、入力選択ボタン５４Ａ〜５４Ｃのいずれかが選択された後「進む」ボタン５５がクリックされたことを確認すると、次のステップＳＰ５に移る。
【００３３】
ステップＳＰ５においてＣＰＵ１１は、図９に示す録音編集画面６０をモニタ３に表示する。この録音編集画面６０上で、ユーザは様々な録音編集操作を行うことができるようになされている。
【００３４】
録音編集画面６０の中央には、入力選択画面５４で選択された入力端子又は機器からの録音を開始するための録音開始ボタン６１が表示されている。また、録音編集画面６０の下半分を占めるパネルエリア６２には、曲間の自動検出の結果に応じて曲間の位置に自動で分割点マーク（後述する）を付加する自動マーキング機能に対して有効（すなわち実行）又は無効（すなわち非実行）を選択するための自動マーキング設定パネル６３が表示されており、自動マーキングチェックボックス６４をチェックすることにより自動マーキング機能が有効となる。
【００３５】
ステップＳＰ６においてＣＰＵ１１は、ユーザによる録音開始ボタン６１のクリックを待ち受け、当該録音開始ボタン６１がクリックされたことを確認すると、次のステップＳＰ７に移る。
【００３６】
ステップＳＰ７においてＣＰＵ１１は自動マーキング設定パネル６３を消去し、これに代えて図１０に示すようなトラックパネル７０を録音編集画面６０のパネルエリア６２に表示した後、録音を開始する。
【００３７】
トラックパネル７０の上部には、録音時間の経過に対応して録音の開始から終了まで右方向に伸びていく、棒状の録音進捗バー７１が表示される。この録音進捗バー７１は、録音中においては赤色で表示され、録音が終了すると水色で表示される。
【００３８】
録音進捗バー７１の下方には、録音した音声データを複数のトラックに分割するための分割点マーク７２を表示すべき分割点マーク表示領域７３が設けられている。この分割点マーク７２は、自動マーキング機能が有効状態にある場合、録音編集管理プログラムによって曲間の無音部分に対して自動的に付加される。また分割点マーク７２は録音終了後にユーザが手動で付加することもできる。
【００３９】
分割点マーク表示領域７３の下方には、各トラックの録音時間および順序を視覚的に表すセグメント７４を表示するためのセグメント表示領域７５が設けられている。また、セグメント表示領域７５の左側には、各トラックのトラック番号、タイトル及び録音時間を文字で表示するためのトラックリスト表示領域７６が設けられている。
【００４０】
図１１（Ａ）に示すように、セグメント７４は録音時において録音進捗バー７１に同期して右方向に伸びていく。
【００４１】
そして、自動マーキング機能が有効状態にある場合、図１１（Ｂ）に示すように分割点マーク７２が無音部分に応じて自動付加されてトラックが分割されると、最初のトラックを表すセグメント７４Ａの伸びが分割点マーク７２の位置で停止するとともに、当該セグメント７４Ａの一段下に、分割点マーク７２を起点として、次のトラックを表すセグメント７４Ｂが表示される。この新たなセグメント７４Ｂも、録音進捗バー７１に同期して右方向に伸びていく。
【００４２】
このように自動マーキング機能が有効状態にある場合、セグメント表示領域７５には録音の経過に応じて、自動分割されたトラックそれぞれを示すセグメント７４Ａ、７４Ｂ、……が順次階段状に表示されていく。また、自動マーキング機能が無効状態にある場合には、セグメント７４は自動分割されることなく、録音進捗バー７１に同期して伸びていく。
【００４３】
この録音状態において録音編集画面６０（図９）には、録音開始ボタン６１の代わりに録音終了ボタン（図示せず）が表示される。そして、この録音終了ボタンがクリックされたことを確認すると、ＣＰＵ１１は録音を停止する。
【００４４】
この録音停止状態においてユーザは、トラックパネル７０（図１０）上で分割点マーク７２を移動することによりトラックの分割位置を変更したり、新たな分割点マーク７２を付加することによりトラックを再分割したり、分割点マーク７２を消去することにより連続した２つのトラックを結合する等の編集処理を行うことができる。
【００４５】
ここで、トラックパネル７０に分割点マーク７２が表示された状態においてはトラックの分割位置は確定されておらず、図１１（Ｃ）に示すように、各セグメント７４の端部は、その前後のセグメント７４とそれぞれつながった状態で表示される。この状態のセグメントを未分割セグメントと呼ぶ。
【００４６】
そして、録音編集画面６０の「次に進む」ボタン６５（図９）がクリックされたことを確認すると、ＣＰＵ１１はトラックの分割位置を確定する。すなわち図１２に示すように、各セグメント７４の端部が前後のセグメント７４とつながらない状態で表示される。また、録音進捗バー７１及び分割点マーク７２は消去される。
【００４７】
この状態においてユーザは各セグメント７４を上下（矢印方向）に移動させることにより、各トラックの順序を変更することができる。すなわち、あるセグメント７４を上に一段移動させると、当該セグメント７４が示すトラックの順序が一つ繰り上がり、あるセグメント７４を下に一段移動させると、当該セグメント７４が示すトラックの順序が一つ繰り下がる。
【００４８】
このようにしてトラックの順序が変更された後、録音編集画面６０の出力ボタン６６（図９）がクリックされたことを確認すると（図６のステップＳＰ８）、ＣＰＵ１１は編集処理結果を確定して次のステップＳＰ９に移る。
【００４９】
ステップＳＰ９においてＣＰＵ１１は、図１３に示す出力先選択画面８０をモニタ３に表示する。この出力先選択画面８０の中央には、編集したトラックの出力先としてＣＤ−ＲＷドライブ２０を選択するためのＣＤ−ＲＷドライブ選択ボタン８１Ａと、トラックの出力先としてハードディスクドライブ１９を選択するためのハードディスクドライブ選択ボタン８１Ｂとの２つの出力先選択ボタン８１が表示されているとともに、その右側には、選択した出力先を確定して出力を開始するための開始ボタン８２が表示されている。
【００５０】
ＣＰＵ１１は、次のステップＳＰ１０においてユーザによる出力先選択操作を待ち受け、出力先選択ボタン８２Ａ又は８２Ｂのいずれかが選択された後、開始ボタン８２がクリックされたことを確認すると、次のステップＳＰ１１に移る。
【００５１】
ステップＳＰ１１においてＣＰＵ１１は、選択された出力先に対してトラックに対応した音声データファイルＭｆを出力し、次のステップＳＰ１２で録音編集管理処理を終了する。
【００５２】
なおＣＰＵ１１は、トラックの出力先としてハードディスクドライブ１９が選択された場合は、音声データファイルＭｆをＷｉｎｄｏｗｓ（Ｒ）標準のオーディオの録音／再生機能及びそのためのデータフォーマットであるＷＡＶＥ形式ファイルに変換して出力し、ＣＤ−ＲＷドライブ２０が選択された場合は、ＣＤ−ＲあるいはＣＤ−ＲＷに録音するためのデータフォーマットに変換した後に出力するようになされている。
【００５３】
（３）出力選択処理
次に、上述のステップＳＰ７で録音した音声データファイルＭｆをステップＳＰ１１でＣＤ−ＲＷドライブ２０に出力し、当該ＣＤ−ＲＷドライブ２０を介して複数枚のＣＤ−ＲＷに振り分けて記録する場合の出力選択処理について説明する。
【００５４】
この場合、パーソナルコンピュータ１のＣＰＵ１１は、ユーザの意思もしくは無音部分に対応して付加された複数の分割点マーク７２（図１０）でトラックを実際に分割した場合、図１４（Ａ）に示すように複数のトラック（例えば、トラックＮｏ．１〜トラックＮｏ．５）に対応した新たな音声データファイルＭｆ１〜Ｍｆ５を形成するようになされている。
【００５５】
図１４（Ｂ）に示すようにＣＰＵ１１は、トラックＮｏ．１〜トラックＮｏ．５に対応した複数の音声データファイルＭｆ１〜Ｍｆ５を実際に複数枚のＣＤ−ＲＷに振り分けて記録制御する場合、まずトラックＮｏ．１及びトラックＮｏ．２のデータ容量の合計値を算出し、その合計値がＣＤ−ＲＷ１枚分の記憶容量以下であれば格納可能であると判断する。
【００５６】
従ってＣＰＵ１１は、トラックＮｏ．１及びトラックＮｏ．２のデータ容量の合計値がＣＤ−ＲＷ１枚分の記憶容量以下であって格納可能であると判断した場合、引き続き次のトラックＮｏ．３を含めたトラックＮｏ．１〜トラックＮｏ．３のデータ容量の合計値を算出し、その合計値がＣＤ−ＲＷ１枚分の記憶容量以下となるか否かを判別する。
【００５７】
このときトラックＮｏ．１〜トラックＮｏ．３のデータ容量の合計値がＣＤ−ＲＷ１枚分の記憶容量を超えてしまう場合、ディスクＮｏ．１のＣＤ−ＲＷに対してはトラックＮｏ．１及びトラックＮｏ．２の音声データファイルＭｆ１及びＭｆ２を格納することに決定する。
【００５８】
同様にしてＣＰＵ１１は、次に算出したトラックＮｏ．３及びトラックＮｏ．４のデータ容量の合計値がＣＤ−ＲＷ１枚分の記憶容量を超えてしまう場合、ディスクＮｏ．２のＣＤ−ＲＷに対してはトラックＮｏ．３の音声データファイルＭｆ３だけを格納することに決定する。
【００５９】
続いてＣＰＵ１１は、上述と同様にして次のトラックＮｏ．４及びトラックＮｏ．５のデータ容量の合計値に基づいて当該トラックＮｏ．４及びトラックＮｏ．５の音声データファイルＭｆ４及びＭｆ５をディスクＮｏ．３のＣＤ−ＲＷに対して格納することに決定する。
【００６０】
このようにＣＰＵ１１は、ＣＤ−ＲＷ１枚分の記憶容量を越えない範囲で、トラックＮｏ．１〜トラックＮｏ．５の音声データファイルＭｆ１〜Ｍｆ５をディスクＮｏ．１〜Ｎｏ．５のいずれのＣＤ−ＲＷに振り分けて記録するかを計算し、ディスク境界をトラックＮｏ．２とトラックＮｏ．３との間の切れ目、トラックＮｏ．３とトラックＮｏ．４との間の切れ目、トラックＮｏ．５の後ろの切れ目に設定し得るようになされている。
【００６１】
これによりＣＰＵ１１は、複数のトラックＮｏ．１〜Ｎｏ．５に分割された音声データファイルＭｆ１〜Ｍｆ５を、１つの音声データファイルＭｆｎが２枚のＣＤ−ＲＷに跨ることがなく、かつ複数枚のＣＤ−ＲＷにおける記憶容量を無駄なく使用しながら格納し得るようになされている。
【００６２】
なお、図１４（Ｃ）に示すようにパーソナルコンピュータ１では、例えば当初トラックＮｏ．５の後ろの切れ目に設定されたディスク境界をユーザのドラッグアンドドロップ操作によってトラックＮｏ．４とトラックＮｏ．５との間に移動して変更することも可能である。
【００６３】
この場合ＣＰＵ１１は、トラックＮｏ．４の音声データファイルＭｆ４をディスクＮｏ．３のＣＤ−ＲＷに格納し、トラックＮｏ．５の音声データファイルＭｆ５をディスクＮｏ．４のＣＤ−ＲＷに格納することに決定する。
【００６４】
このようにパーソナルコンピュータ１では、ユーザの希望に応じてディスク境界を任意に変更することが可能であるが、その場合であっても１枚のディスクには少なくとも１つのトラックＮｏ．ｎの音声データファイルＭｆｎを格納するようになされている。
【００６５】
続いて、パーソナルコンピュータ１において上述した出力選択処理を実行する場合の３通りの具体例について、以下に順次説明する。
【００６６】
（３−１）出力選択時におけるディスクの振り分け記憶処理手順
図１５に示すように、パーソナルコンピュータ１のＣＰＵ１１は、ルーチンＲＴ２の開始ステップから入ってステップＳＰ２１に移る。
【００６７】
ステップＳＰ２１においてＣＰＵ１１は、ユーザの操作によって出力先選択画面８０でトラックＮｏ．１〜トラックＮｏ．ｎに対応した音声データファイルＭｆ１〜Ｍｆｎの出力先としてＣＤ−ＲＷドライブ２０を選択するべくＣＤ−ＲＷドライブ選択ボタン８１Ａが押下操作されたか否かを判定する。
【００６８】
ここで否定結果が得られると、このことは音声データファイルＭｆ１〜Ｍｆｎの出力先としてＣＤ−ＲＷドライブ２０が選択されたのではないことを表しており、このときＣＰＵ１１は次のステップＳＰ２２に移る。
【００６９】
ステップＳＰ２２においてＣＰＵ１１は、音声データファイルＭｆ１〜ＭｆｎをＷＡＶＥ形式で出力し、次のステップＳＰ２７に移って処理を終了する。
【００７０】
これに対してステップＳＰ２１で肯定結果が得られると、このことは音声データファイルＭｆ１〜Ｍｆｎの出力先としてＣＤ−ＲＷドライブ２０が選択されたことを表しており、このときＣＰＵ１１は次のステップＳＰ２３に移る。
【００７１】
ステップＳＰ２３においてＣＰＵ１１は、ＣＤ−ＲＷドライブ２０に対して既に挿入されているＣＤ−ＲＷが７００［ＭＢ］の記憶容量を有するもの（以下、これを７００［ＭＢ］メディアと呼ぶ）であるか否かを判定する。
【００７２】
ここで否定結果が得られると、このことはＣＤ−ＲＷが７００［ＭＢ］の記憶容量を有するものではなく６５０［ＭＢ］の記憶容量を有するもの（以下、これを６５０［ＭＢ］メディアと呼ぶ）であることまたはＣＤ−ＲＷメディアが挿入されていないことを表しており、このときＣＰＵ１１は次のステップＳＰ２４に移る。
【００７３】
ステップＳＰ２４においてＣＰＵ１１は、ＣＤ−ＲＷドライブ２０に対して６５０［ＭＢ］メディアが挿入されているものと判断または仮定し、複数のトラックＮｏ．１〜Ｎｏ．ｎに分割された音声データファイルＭｆ１〜ＭｆｎをＣＤ−ＲＷ１枚の記憶容量６５０［ＭＢ］の範囲内で有効かつ効率的に格納すべくディスク境界を計算し、次のステップＳＰ２６に移る。
【００７４】
これに対してステップＳＰ２３で肯定結果が得られると、このことはＣＤ−ＲＷドライブ２０に対して既に挿入されているＣＤ−ＲＷが７００［ＭＢ］メディアであることを表しており、このときＣＰＵ１１は次のステップＳＰ２５に移る。
【００７５】
ステップＳＰ２５においてＣＰＵ１１は、音声データファイルＭｆ１〜Ｍｆｎの出力先が７００［ＭＢ］メディアであることを前提として、複数のトラックＮｏ．１〜Ｎｏ．ｎに分割された音声データファイルＭｆ１〜ＭｆｎをＣＤ−ＲＷ１枚の記憶容量７００［ＭＢ］の範囲内で有効かつ効率的に格納すべくディスク境界を計算し、次のステップＳＰ２６へ移る。
【００７６】
具体的にはＣＰＵ１１は、出力先選択画面８０のパネル表示ボタン８３がクリックされたことを確認すると、例えば図１６に示すような出力内容確認画面２００をモニタ３に表示する。
【００７７】
この出力内容確認画面２００では、「出力ディスク内容の確認」ボタン２０１が選択された状態であって、「書き込み設定」ボタン２０２が選択されていない状態であり、ユーザがＣＤ−ＲＷへの書き込み設定を変更する場合には当該「書き込み設定」ボタン２０２をクリックすればよい。
【００７８】
出力内容確認画面２００は、ディスクリスト表示欄２０３とトラックリスト表示欄２０４が設けられている。ディスクリスト表示欄２０３には例えばディスクＮｏ．１〜Ｎｏ．５に対してそれぞれ録音される録音合計時間及びそのディスクタイトルが表示される。
【００７９】
またトラックリスト表示欄２０４には、例えばディスクＮｏ．１のＣＤ−ＲＷに対して格納されるべきディスク境界の計算されたトラックＮｏ．１〜Ｎｏ．７の各トラックにおけるトラック名及びそのトラック名に対応した録音時間と録音合計時間が表示される。
【００８０】
すなわち、ディスクＮｏ．１のＣＤ−ＲＷに対しては、トラックＮｏ．１〜Ｎｏ．７までの音声データファイルＭｆ１〜Ｍｆ７が格納されることが示されており、ディスクＮｏ．１のＣＤ−ＲＷに格納されるべきトラックＮｏ．７とディスクＮｏ．２のＣＤ−ＲＷに格納されるべき最初のトラックＮｏ．１との間の切れ目がディスク境界であることが解るようになされている。
【００８１】
このようにトラックリスト表示欄２０４では、ディスクＮｏ．ｎのＣＤ−ＲＷに対してそれぞれ格納されるべき複数のトラックの範囲がディスク境界で振り分けられて表示される。
【００８２】
これによりユーザは、トラックＮｏ．１〜トラックＮｏ．ｎに対応した音声データファイルＭｆ１〜Ｍｆｎが複数枚のＣＤ−ＲＷに対してどのように振り分けられて記憶されることになるかを出力内容確認画面２００のトラックリスト表示欄２０４を通して瞬時に目視確認し得るようになされている。
【００８３】
またＣＰＵ１１は、出力内容確認画面２００の「書き込み設定」ボタン２０２がクリックされたことを確認すると、図１７に示すような書き込み設定画面２１０をモニタ３に表示する。
【００８４】
この書き込み設定画面２１０では、「書き込み方法」及び「書き込み速度」等を選択対象表示欄２１１及び２１２を介して設定し得るようになされており、また初期化実行画面２１３を介してＣＤ−ＲＷドライブ２０に挿入されているＣＤ−ＲＷに対する初期化を実行し得るようにもなされている。
【００８５】
ステップＳＰ２６においてＣＰＵ１１は、出力先選択画面８０の開始ボタン８２がクリックされたことを確認すると、ステップＳＰ２４又はステップＳＰ２５で計算したディスク境界に応じて複数のトラックＮｏ．１〜Ｎｏ．ｎの音声データファイルＭｆ１〜Ｍｆｎを複数枚のＣＤ−ＲＷ（６５０［ＭＢ］メディア又は７００［ＭＢ］メディア）に振り分けて記憶し、次のステップＳＰ２７へ移って、出力選択時におけるディスクの振り分け記憶処理を終了する。
【００８６】
（３−２）メディア挿入時におけるディスクの振り分け記憶処理手順
図１８に示すようにＣＰＵ１１は、ルーチンＲＴ３の開始ステップから入ってステップＳＰ３１に移る。
【００８７】
ステップＳＰ３１においてＣＰＵ１１は、パソコン本体２のＣＤ−ＲＷドライブ２０にＣＤ−ＲＷが挿入されたか否かを判定する。ここで否定結果が得られると、このことはＣＤ−ＲＷドライブ２０にＣＤ−ＲＷが挿入されていないことを表しており、このときＣＰＵ１１はＣＤ−ＲＷが挿入されるまで待ち受ける。
【００８８】
これに対してステップＳＰ３１で肯定結果が得られると、このことはＣＤ−ＲＷドライブ２０にＣＤ−ＲＷ（６５０［ＭＢ］メディア又は７００［ＭＢ］メディア）が挿入されたことを表しており、このときＣＰＵ１１は次のステップＳＰ３２に移る。
【００８９】
ステップＳＰ３２においてＣＰＵ１１は、既に挿入されたＣＤ−ＲＷの記憶容量（６５０［ＭＢ］又は７００［ＭＢ］）と、ディスク境界を計算するために現時点で選択されている振分モード（６５０［ＭＢ］メディアを想定してディスク境界を計算するモード又は７００［ＭＢ］メディアを想定してディスク境界を計算するモード）とが一致しているか否かを判定する。
【００９０】
ここで否定結果が得られると、このことは既に挿入されているＣＤ−ＲＷの記憶容量が例えば６５０［ＭＢ］であって、現時点でのディスク境界の振分モードが７００［ＭＢ］メディアを想定している場合、又は既に挿入されているＣＤ−ＲＷの記憶容量が例えば７００［ＭＢ］であって、現時点でのディスク境界の振分モードが６５０［ＭＢ］メディアを想定している場合を表しており、このときＣＰＵ１１は次のステップＳＰ３３に移る。
【００９１】
ステップＳＰ３３においてＣＰＵ１１は、実際にＣＤ−ＲＷドライブ２０に挿入されたＣＤ−ＲＷが６５０［ＭＢ］メディアか７００［ＭＢ］メディアを判別した後、その記憶容量に合わせてディスク境界を再計算し、次のステップＳＰ３５に移る。
【００９２】
これに対してステップＳＰ３２で肯定結果が得られると、このことは既に挿入されたＣＤ−ＲＷの記憶容量（６５０［ＭＢ］又は７００［ＭＢ］）と、現時点でのディスク境界の振分モードとが一致していることを表しており、このときＣＰＵ１１は次のステップＳＰ３４に移る。
【００９３】
ステップＳＰ３４においてＣＰＵ１１は、現時点でのディスク境界の振分モードを変更することなくディスク境界を計算し、次のステップＳＰ３５に移る。
【００９４】
ステップＳＰ３５においてＣＰＵ１１は、出力先選択画面８０の開始ボタン８２がクリックされたことを確認すると、ステップＳＰ３３で再計算したディスク境界又はステップＳＰ３４で計算した現時点での振分モードにおけるディスク境界に応じて複数のトラックＮｏ．１〜Ｎｏ．ｎの音声データファイルＭｆ１〜Ｍｆｎを複数枚のＣＤ−ＲＷ（６５０［ＭＢ］メディア又は７００［ＭＢ］メディア）に振り分けて記憶し、次のステップＳＰ３６に移って、メディア挿入時におけるディスクの振り分け記憶処理手順を終了する。
【００９５】
（３−３）プロジェクトファイル使用時におけるディスクの振り分け記憶処理手順
図１９に示すようにＣＰＵ１１は、ルーチンＲＴ４の開始ステップから入ってステップＳＰ４１に移る。
【００９６】
ステップＳＰ４１においてＣＰＵ１１は、既に過去の時点でディスク境界の計算が行われており、そのディスク境界に関する情報がプロジェクトファイルＰｆに保存され、かつＣＤ−ＲＷドライブ２０に対してＣＤ−ＲＷが挿入されているか否かを判定する。
【００９７】
ここで否定結果が得られると、このことはディスク境界に関する情報が当該プロジェクトファイルＰｆに保存されていないこと、すなわち複数のトラックＮｏ．１〜Ｎｏ．ｎの音声データファイルＭｆ１〜Ｍｆｎを初めてＣＤ−ＲＷへ出力することを意味しており、このときＣＰＵ１１は上述のルーチンＲＴ２へ移って出力選択時におけるディスクの振り分け記憶処理を開始する。
【００９８】
これに対してステップＳＰ４１で肯定結果が得られた場合、ＣＰＵ１１は次のステップＳＰＢ２に移って、既に挿入されているＣＤ−ＲＷの記憶容量（６５０［ＭＢ］又は７００［ＭＢ］）と、プロジェクトファイルＰｆに保存されているディスク境界に関する情報の振分モード６５０［ＭＢ］メディアを想定してディスク境界を計算するモード又は７００［ＭＢ］メディアを想定してディスク境界を計算するモード）とが一致しているか否かを判定する。
【００９９】
ここで否定結果が得られると、このことは既に挿入されているＣＤ−ＲＷの記憶容量が例えば６５０［ＭＢ］であって、プロジェクトファイルＰｆに保存されているディスク境界に関する情報の振分モードが７００［ＭＢ］メディアを想定して計算されたものである場合、又は既に挿入されているＣＤ−ＲＷの記憶容量が例えば７００［ＭＢ］であって、プロジェクトファイルＰｆに保存されているディスク境界に関する情報の振分モードが６５０［ＭＢ］メディアを想定して計算されたものである場合を表しており、このときＣＰＵ１１は次のステップＳＰ４３に移る。
【０１００】
ステップＳＰ４３においてＣＰＵ１１は、実際にＣＤ−ＲＷドライブ２０に挿入されているＣＤ−ＲＷが６５０［ＭＢ］メディアか７００［ＭＢ］メディアを判別した後、その記憶容量に合わせてディスク境界を再計算し、次のステップＳＰ４４に移る。
【０１０１】
これに対してステップＳＰ４２で肯定結果が得られると、このことは既に挿入されているＣＤ−ＲＷの記憶容量（６５０［ＭＢ］又は７００［ＭＢ］）と、プロジェクトファイルＰＦに保存されているディスク境界に関する情報の振分モード（６５０［ＭＢ］メディアを想定してディスク境界を計算するモード又は７００［ＭＢ］メディアを想定してディスク境界を計算するモード）とが一致していることを表しており、このときＣＰＵ１１は次のステップＳＰ４４に移る。
【０１０２】
ステップＳＰ４４においてＣＰＵ１１は、プロジェクトファイルＰｆに既に保存されているディスク境界に関する情報を変更することなくそのまま使用することを決定し、次のステップＳＰ４５に移る。
【０１０３】
ステップＳＰ４５においてＣＰＵ１１は、出力先選択画面８０の開始ボタン８２がクリックされたことを確認すると、ステップＳＰ４３で再計算したディスク境界又はプロジェクトファイルＰｆに保存されていたディスク境界に応じて複数のトラックＮｏ．１〜Ｎｏ．ｎの音声データファイルＭｆ１〜Ｍｆｎを複数枚のＣＤ−ＲＷ（６５０［ＭＢ］メディア又は７００［ＭＢ］メディア）に振り分けて記憶した後、次のステップＳＰ４６へ移って、プロジェクトファイル使用時におけるディスクの振り分け記憶処理を終了する。
【０１０４】
（４）動作及び効果
以上の構成において、パーソナルコンピュータ１のＣＰＵ１１は、録音した音声データを分割点マーク７２で複数のトラック（トラックＮｏ．１〜トラックＮｏ．ｎ）に分割した後、当該複数のトラックＮｏ．１〜トラックＮｏ．ｎに対応した音声データファイルＭｆ１〜ＭｆｎをＣＤ−ＲＷドライブ２０に出力する際、当該ＣＤ−ＲＷドライブ２０に挿入されたＣＤ−ＲＷ（６５０［ＭＢ］メディア又は７００［ＭＢ］メディア）に応じて最適なディスク境界を計算する。
【０１０５】
すなわちＣＰＵ１１は、ＣＤ−ＲＷ１枚分の記憶容量を越えない範囲で、トラックＮｏ．１〜トラックＮｏ．ｎの連続性を有する音声データファイルＭｆ１〜ＭｆｎをディスクＮｏ．１〜Ｎｏ．５のいずれのＣＤ−ＲＷに振り分けて記録するかを計算し、複数のトラック間の切れ目をディスク境界として設定する。
【０１０６】
これによりＣＰＵ１１は、複数のトラックＮｏ．１〜Ｎｏ．ｎに分割した連続性を有する音声データファイルＭｆ１〜Ｍｆｎのそれぞれを、トラック単位でいずれかのＣＤ−ＲＷに少なくとも１つ以上格納することができる。
【０１０７】
かくしてＣＰＵ１１は、複数のトラックＮｏ．１〜Ｎｏ．ｎに分割した連続性を有する音声データファイルＭｆ１〜Ｍｆｎのそれぞれを、２枚のＣＤ−ＲＷに跨ることなくその連続性を維持したままで、複数枚のＣＤ−ＲＷに振り分けて全て記録することができる。
【０１０８】
この結果パーソナルコンピュータ１は、録音時にＣＤ−ＲＷの記憶容量を意識させることなくユーザに録音編集操作を実行させることができるので、ユーザにとっては製作意図を持った長時間の連続したトラックＮｏ．１〜トラックＮｏ．ｎの音声データファイルＭｆ１〜Ｍｆｎを記録媒体の記憶容量の制限を気にすることなく自由に作成することができる。
【０１０９】
またパーソナルコンピュータ１のＣＰＵ１１は、記憶容量の小さなＣＤ−ＲＷを用いた場合であっても、その枚数を増やすだけで良いので、ユーザに対して記憶容量を意識させることなく録音編集操作を実行させることができる。
【０１１０】
さらにＣＰＵ１１は、ＣＤ−ＲＷドライブ２０に挿入された複数枚のＣＤ−ＲＷにおける記録容量がそれぞれ６５０［ＭＢ］であったり、あるいは７００［ＭＢ］であったりするような混在する場合であっても、それぞれの記録容量に合わせた記録可能な範囲内でトラック毎に音声データファイルＭｆを記録することができ、かくしてＣＤ−ＲＷの記録容量が異なる場合であっても、そのことをユーザに意識させることなく録音編集操作を実行させることができる。
【０１１１】
さらにＣＰＵ１１は、ユーザの操作によってディスク境界が変更された場合であっても（図１４（Ｃ））、その変更された新たなディスク境界で複数枚のＣＤ−ＲＷに振り分けてトラックＮｏ．１〜トラックＮｏ．ｎの音声データファイルＭｆ１〜Ｍｆｎを記録制御することにより、ユーザに対してディスク境界の変更に伴う煩雑な手続き等を強いることなく当該音声データファイルＭｆ１〜Ｍｆｎを複数枚のＣＤ−ＲＷに対して記録することができる。
【０１１２】
以上の構成によれば、パーソナルコンピュータ１のＣＰＵ１１は、複数のトラックＮｏ．１〜トラックＮｏ．ｎに対応した音声データファイルＭｆ１〜Ｍｆｎをその連続性を維持したまま複数のＣＤ−ＲＷに振り分けてトラック単位で記録することができる。
【０１１３】
（５）他の実施の形態
なお上述の実施の形態においては、パソコン本体２のＣＰＵ１１は、ＣＤ−ＲＷドライブ２０に挿入される複数のＣＤ−ＲＷが６５０［ＭＢ］メディア又は７００［ＭＢ］メディアのいずれか一方である場合について述べたが、本発明はこれに限らず、６５０［ＭＢ］メディア又は７００［ＭＢ］メディアが混在していても良い。その場合ＣＰＵ１１は、ＣＤ−ＲＷのメディア１枚毎に６５０［ＭＢ］メディア又は７００［ＭＢ］メディアであるかを判別し、その判別結果に応じてディスク境界を計算すれば良い。またメディアの容量も６５０［ＭＢ］、７００［ＭＢ］に限らずその他の容量のものでもよい。
【０１１４】
また上述の実施の形態においては、トラックＮｏ．１〜Ｎｏ．ｎの音声データファイルＭｆ１〜ＭｆｎをＣＤ−ＲＷに出力して振り分け記憶処理するようにした場合について述べたが、本発明はこれに限らず、ＣＤ−ＲＷ以外のＤＶＤ−ＲＷ、半導体メモリ、ハードディスク等の他の種々の記憶媒体へ出力して振り分け記憶処理するようにしても良い。
【０１１５】
さらに上述の実施の形態においては、トラックＮｏ．１〜Ｎｏ．ｎの音声データファイルＭｆ１〜Ｍｆｎを出力対象とするようにした場合について述べたが、本発明はこれに限らず、ビデオデータ、音声データとビデオデータとの混合、その他種々のデータを出力対象とするようにしても良い。
【０１１６】
さらに上述の実施の形態においては、ハードディスクドライブ１９に予め格納された録音編集管理プログラムを分割処理手段及び記録制御手段としてのＣＰＵ１１が読み出して実行することにより上述のディスクの振り分け記録処理手順（図１５、図１８及び図１９）を実行するようにした場合について述べたが、本発明はこれに限らず、録音編集管理プログラムが格納されたプログラム格納媒体をパソコン本体２にインストールすることによりディスクの振り分け記録処理手順を実行するようにしても良い。
【０１１７】
【発明の効果】
上述のように本発明によれば、複数のトラックを一塊とする連続的な出力データを複数の記録媒体に振り分けて記録する場合、複数のトラックを構成するうちの１つのトラックが２枚の記録媒体に跨ることなく、かつ記録媒体の記録容量を有効活用しながら、複数のトラックを一塊とする連続的な出力データをそのままの状態で複数の記録媒体にトラック単位で振り分けて記録することができ、かくして出力先の記録媒体の記録容量をユーザに意識させることなく、連続的な出力データをそのままの状態で有効かつ効率的に記録媒体に記録し得る出力データ記録制御装置を実現できる。
【図面の簡単な説明】
【図１】パーソナルコンピュータの全体構成を示す概略図である。
【図２】パソコン本体の回路構成を示す略線的ブロック図である。
【図３】録音編集管理プログラムの構成を示す略線的ブロック図である。
【図４】プロジェクトファイルの内容を示す略線図である。
【図５】プロジェクトファイルのタグを示す略線的ブロック図である。
【図６】録音編集管理処理手順を示すフローチャートである。
【図７】オープニング画面を示す略線図である。
【図８】入力選択画面を示す略線図である。
【図９】録音編集画面を示す略線図である。
【図１０】トラックパネルを示す略線図である。
【図１１】トラックの分割の説明に供する略線図である。
【図１２】分割位置確定後のトラックパネルを示す略線図である。
【図１３】出力先選択画面を示す略線図である。
【図１４】ディスクの振り分け記録処理の説明に供する略線図である。
【図１５】出力選択時におけるディスクの振り分け記録処理手順を示すフローチャートである。
【図１６】出力内容確認画面を示す略線図である。
【図１７】書き込み設定画面を示す略線図である。
【図１８】メディア挿入時におけるディスクの振り分け記録処理手順を示すフローチャートである。
【図１９】プロジェクトファイル使用時におけるディスクの振り分け記録処理手順を示すフローチャートである。
【符号の説明】
１……パーソナルコンピュータ、２……パソコン本体、３……モニタ、７……ライン入力ケーブル、９……ＵＳＢオーディオデバイス、１１……ＣＰＵ、１９……ハードディスクドライブ、２０……ＣＤ−ＲＷドライブ。
【図１】
2004318962.tif 000003
【図２】
2004318962.tif 000004
【図３】
2004318962.tif 000005
【図４】
2004318962.tif 000006
【図５】
2004318962.tif 000007
【図６】
2004318962.tif 000008
【図７】
2004318962.tif 000009
【図８】
2004318962.tif 000010
【図９】
2004318962.tif 000011
【図１０】
2004318962.tif 000012
【図１１】
2004318962.tif 000013
【図１２】
2004318962.tif 000014
【図１３】
2004318962.tif 000015
【図１４】
2004318962.tif 000016
【図１５】
2004318962.tif 000017
【図１６】
2004318962.tif 000018
【図１７】
2004318962.tif 000019
【図１８】
2004318962.tif 000020
【図１９】
2004318962.tif 000021